(57)【要約】【課題】切り取り可能な区画が設けられた開封片の接着性が安定しているカートンを提供する。【解決手段】カートン１は、容器本体１０と、容器本体１０の開口部を覆う蓋部１１と、未開封の状態において蓋部１１に連接し、かつ容器本体１０の前面板に接着部１５により接着している開封片１４とを備え、開封片１４には、切れ目線１７により開封片１４から切り取り可能な切り取り区画１６が、接着部１５が存在しない部分であり、端に位置する接着部１５よりも中央側に設けられている。【選択図】図１
2019011117.tif 000002
【特許請求の範囲】
【請求項１】
物品を収容する、上面が開口した容器本体と、
上記容器本体の開口部を覆う蓋部と、
未開封の状態において上記蓋部に連接し、かつ上記容器本体の前面板に接着しており、開封時に上記蓋部から切り離される、開封片とを備え、
上記開封片は、切り離し方向に沿って列をなして設けられた複数の接着部で、上記前面板と接着しており、
上記開封片には、上記開封片に設けられた切れ目線により上記開封片から切り取り可能な区画が、上記接着部が存在しない部分に設けられており、
上記区画は、上記列の端に位置する接着部よりも中央側に設けられていることを特徴とするカートン。
【請求項２】
上記開封片と上記蓋部との間に切り取り線が設けられており、上記切れ目線は上記切り取り線と交差していることを特徴とする請求項１に記載のカートン。
【請求項３】
上記開封片の切り離し方向の最も後方に位置する上記接着部と、上記開封片における該切り離し方向後方側端部との距離は、上記開封片の切り離し方向に沿った辺の長さの６％以下であることを特徴とする請求項１または２に記載のカートン。
【請求項４】
上記列の端に位置する上記接着部の面積は、上記列の端に位置する接着部以外の接着部の面積よりも３０％以上大きいことを特徴とする請求項１〜３のいずれか１項に記載のカートン。
【請求項５】
上記物品はラップフィルム巻回体であり、請求項１〜４のいずれか１項に記載のカートンに上記物品を収容してなる、ラップフィルム製品。
【発明の詳細な説明】
【技術分野】
【０００１】
本発明は、物品を収容するカートン、及び当該カートンを用いたラップフィルム製品に関する。
【背景技術】
【０００２】
ラップフィルム、アルミホイル、クッキングシート等の包装物は、通常、ロール状に巻回した状態で直方体のカートンに収容されている。このカートンは、物品が収容される上面が開口した直方体状の容器本体と、容器本体の上面の開口部を覆う蓋部を有している。カートンの開封前、蓋部は、容器本体の上面開口部を塞いだ状態で、容器本体の前面に位置する長手方向に沿った帯状の開封片により封止されている。そして、使用開始時には、開封片を切り取ることによって、カートンが開封される。
【０００３】
上述のカートンは、消費者にわたるまでの物流段階で勝手に開封してしまわないよう、蓋部を封止する開封片が容器本体に十分に接着されている必要がある。一方で、使用開始時には開封片の切り取りを容易にし、それにより容易に開封できることが求められている。このようなカートンとして、例えば、特許文献１には開封片と容器本体を接着する接着部のうち少なくとも一つが後方端に曲線を有するとき、後方端における幅は後方端における曲率円の直径とすることで、物流段階での接着が十分であり、かつ、開封後の糊残りを抑制したカートンが開示されている。
【先行技術文献】
【特許文献】
【０００４】
【特許文献１】特開２０１４−１２２０６０号公報
【発明の概要】
【発明が解決しようとする課題】
【０００５】
ところで、開封片は開封時に切り取られることから、応募券およびベルマーク（登録商標）等を設ける部分として適している。応募券およびベルマーク等を開封片に設ける場合には、これらを含む区画を開封片から容易に切り取ることができることが望ましい。一方で、応募券およびベルマーク等を設ける部分を設けた場合であっても、流通段階でのカートンの未開封状態が維持されるよう、開封片の接着安定性を確保する必要がある。
【０００６】
本発明は上記の問題点に鑑みてなされたものであり、その目的は、切り取り可能な区画が設けられた開封片と容器本体との接着性が安定しているカートンを提供することにある。
【課題を解決するための手段】
【０００７】
本発明に係るカートンは、上記課題を解決するために、物品を収容する、上面が開口した容器本体と、上記容器本体の開口部を覆う蓋部と、未開封の状態において上記蓋部に連接し、かつ上記容器本体の前面板に接着しており、開封時に上記蓋部から切り離される、開封片とを備え、上記開封片は、切り離し方向に沿って列をなして設けられた複数の接着部で、上記前面板と接着しており、上記開封片には、上記開封片に設けられた切れ目線により上記開封片から切り取り可能な区画が、上記接着部が存在しない部分に設けられており、上記区画は、上記列の端に位置する接着部よりも中央側に設けられている構成を有している。
【０００８】
上記構成によれば、使用前においては、蓋部に連接する開封片が容器本体の前面板と接着していることにより、カートンの未開封の状態が維持される。開封片には、切れ目線により切り取り可能な区画が設けられており、開封片から切り取って使用することができる。切り取り可能な区画は、接着部が存在しない部分に設けられている。このため、接着部の存在に起因して生じ得る、開封片切り離し時の途中での切断により、当該区画が内部で切断してしまうことを防ぐことができる。また、当該区画は、列をなして存在する複数の接着部の端に位置する接着部よりも中央側に設けられているため、最も端の接着部を開封片の端部により近づけることができる。これにより、開封片の接着安定性が十分に確保され、意図しないカートンの開封をより確実に防ぐことができる。
【０００９】
また、本発明に係るカートンでは、上記開封片と上記蓋部との間に切り取り線が設けられており、上記切れ目線は上記切り取り線と交差していることが好ましい。
【００１０】
上記構成によれば、切れ目線の端が、切り離された開封片の端まで延びている。そのため、切り取り可能な区画を、より容易に開封片から切り取ることができる。
【００１１】
また、本発明に係るカートンでは、上記開封片の切り離し方向の最も後方に位置する上記接着部と、上記開封片における該切り離し方向後方側端部との距離は、上記開封片の切り離し方向に沿った辺の長さの６％以下であることが好ましい。
【００１２】
上記構成によれば、一方の端に位置する接着部が、開封片の端部により近い位置となるため、開封片の接着安定性がより優れたものとなる。
【００１３】
また、本発明に係るカートンでは、上記列の端に位置する上記接着部の面積は、上記列の端に位置する接着部以外の接着部の面積よりも３０％以上大きいことが好ましい。
【００１４】
上記構成によれば、一方の端に位置する接着部の大きさがより大きくなるため、開封片の接着安定性がより優れたものとなる。
【００１５】
上記構成によれば、開封片の接着安定性がより優れたものとなる。
【００１６】
また、上記物品がラップフィルム巻回体であり、上述のカートンに上記物品を収容してなる、ラップフィルム製品も、本願発明の範疇に含まれる。
【発明の効果】
【００１７】
本発明のカートンによれば、切り取り区画が設けられた開封片であっても、開封片と容器本体の前面板との接着性を安定化させることができる。
【図面の簡単な説明】
【００１８】
【図１】本実施形態に係るカートンの一例を示す斜視図であって、封止状態を示す。
【図２】開封片の一例を示す図であり、（ａ）は切れ目線と、切り取り線とが交差していない形態、（ｂ）は交差している形態を示す。
【発明を実施するための形態】
【００１９】
以下、本発明の一実施形態について詳細に説明するが、本発明はこれらの記載に限定して解釈されない。本発明の効果を奏する限り、実施形態は種々の変形をしていてもよい。
【００２０】
図１は、本実施形態に係るカートンの一態様を示す斜視図であって、封止状態にあるカートンを示している。図１に示すように、本実施形態に係るカートン１は、物品を収容する、上面が開口した容器本体１０と、容器本体１０の開口した上面を覆う蓋部１１と、蓋部の前面板１３に連接している開封片１４とを備えている。蓋部１１の前面板１３と開封片１４との間には両者を切り離すための切り取り線１９が形成されている。開封前において開封片１４は、容器本体１０の前面板と接着している。開封片１４を、容器本体１０の前面板から引き剥がすとともに蓋部１１から切り離すことによって、カートン１を開封することができる。なお、カートン１の開封前においては、容器本体１０の前面板は、蓋部１１の前面板１３および開封片１４に覆われているため、外観には現れない。開封片１４には、切り取り区画１６が設けられている。
【００２１】
〔開封片〕
開封片１４は、カートン１の開封前において蓋部１１を固定するために、蓋部１１の前面板１３に連接されている部分である。蓋部１１の前面板１３に連接されている開封片１４が、容器本体１０の前面板と接着していることより、蓋部１１が開かないよう固定されている。開封片１４の短辺に相当する、開封片１４の一方の端部１８（ｂ）から他方の端部１８（ａ）に向けて（以下、この方向を切り離し方向という）、開封片１４を容器本体１０から引き剥がすとともに、蓋部１１から切り離すことによって、蓋部１１の固定が外れ、カートン１を開封することができる。
【００２２】
蓋部１１の前面板１３と開封片１４との間には切り取り線１９が形成されている。これにより、開封片１４を蓋部１１から容易に切り離すことができる。切り取り線１９の詳細については後述する。
【００２３】
開封片１４は、複数の接着部１５を介して、容器本体１０の前面板と接着している。ここで、開封片１４と容器本体１０の前面板との接着について説明する。開封片１４の、容器本体１０の前面板と対向する面（以下、開封片１４の裏面ともいう）には、切り離し方向（図１中、矢印Ａの方向）に沿って、帯状に接着剤が塗布されている。一方、容器本体１０の前面板には、接着部１５となる部分を除く領域に、接着防止用の透明な剥離ニスが塗布されている。接着剤の塗布後、開封片１４は容器本体１０の前面板の所定位置に重ね合わされ、所定の圧力で押しつけられる。これにより、剥離ニスが塗布された部分においては、開封片１４と容器本体１０の前面板とは接着せず、剥離ニスが塗布されていない部分であった接着部１５において、開封片１４と容器本体１０の前面板とが接着することになる。複数の接着部１５は列をなして設けられている。接着部１５の詳細については後述する。
【００２４】
（切り取り区画）
開封片１４には、切り取って使用するための切り取り区画１６が設けられている。切り取って使用するとは、切り取った部分を応募券として使用したり、ベルマークとして使用したりすることを意図している。
【００２５】
切り取り区画１６の切り取りを容易にするために、開封片１４における切り取り区画１６の、切り離し方向Ａと交わる方向の辺となる部分には、切れ目線１７が設けられている。換言すれば、２つの切れ目線１７により、切り取り区画１６が画定されている。本実施形態において切れ目線１７は、切り離し方向Ａに対して垂直な方向に延びている。
【００２６】
切り取り区画１６は、接着部１５の列の一方の端に位置する接着部１５（ａ）よりも容器本体１０の中央側、かつもう一方の端に位置する接着部１５（ｂ）よりも容器本体１０の中央側に設けられている。切り取り区画１６を、列の端にある接着部１５（ａ）および接着部１５（ｂ）よりも容器本体１０の中央側に設けることにより、切り取り区画１６を接着部１５（ａ）または接着部１５（ｂ）よりも容器本体１０の外側に設ける場合に比べ、接着部１５（ａ）および接着部１５（ｂ）を開封片１４の端部１８（ａ）または端部１８（ｂ）により近い位置に設けることができる。したがって、開封前における開封片１４と容器本体１０の前面板との接着安定性をより十分に確保することができる。なお、本明細書において接着安定性が確保されている状態とは、容器本体１０の前面板と開封片１４とを接着した際に、開封片１４が、容器本体１０の前面板から浮いていない状態、および浮きの程度が非常に小さい状態を意図している。接着安定性が不十分な場合、容器本体１０の前面板と開封片１４との隙間に、物流時に隣接する他のカートンの一部等が引っかかりやすくなるため、使用開始前の物流段階で意図せず蓋部１１が開いてしまう虞がある。接着安定性が十分であれば、引っかかりを防ぐことができ、使用開始前に物流段階で蓋部１１が開いてしまうことを防ぐことができる。
【００２７】
切り取り区画１６は、開封片１４において、接着部１５が設けられていない場所に設けられている。互いに離れている複数の接着部１５によって開封片１４が容器本体１０に接着されている場合には、切り取り区画１６が、接着部１５が設けられている場所に存在すると、開封片１４を容器本体１０の前面板から引き剥がす際に、接着部１５が設けられた部分で、開封片１４が切断してしまう可能性がある。しかしながら本実施形態においては、接着部１５が設けられていない場所に切り取り区画１６を設けているため、開封片１４における切り取り区画１６の裏面には接着部１５が存在しない。そのため、開封時に、切り取り区画１６の内部において開封片１４が途中で切断されてしまうことを防ぐことができる。さらに、切り取った後の切り取り区画１６には、開封後の接着部１５の一部が残らないため、外観を損なうことがない。
【００２８】
切り取り区画１６の幅Ｌ３は、隣り合う接着部１５どうしの距離以下であれば特に制限はないが、例えば、容器本体１０の長辺の長さが２２０〜３２０ｍｍである場合には、幅Ｌ３は１０〜３０ｍｍであり得、さらには１５〜２５ｍｍであり得る。なお、切り取り区画１６の幅とは、切り離し方向Ａに沿った長さを意図している。
【００２９】
（切れ目線）
図２は、開封片１４および蓋部１１の前面板１３の一部を示す図であり、開封片１４に設けられた切れ目線１７と切り取り線１９との位置関係を示す図である。図２の（ａ）は切れ目線１７と、切り取り線１９とが交差していない形態、図２の（ｂ）は切れ目線１７と、切り取り線１９とが交差している形態である。ここで、切れ目線１７と切り取り線１９とが交差している状態とは、切れ目線１７が切り取り線１９のラインを通り越して蓋部１１の前面板１３まで延びている状態、または切れ目線１７の先端が切り取り線１９のラインまで達しているものの蓋部１１の前面板１３には延びていない状態を指す。また、切り取り線１９のラインとは、切れ込みである切り取り線１９と、隣り合う切り取り線１９どうしの間の部分（切り取り線１９のつなぎ部）とを結んだ仮想の線を意図している。したがって、切れ目線１７と切り取り線１９とが交差している状態とは、図２の（ｂ）に示すような切れ目線１７の先端が切り取り線１９上にある場合に限らず、切れ目線１７の先端が、隣り合う切り取り線１９の間の、切り取り線１９のつなぎ部にある場合も含まれる。
【００３０】
切れ目線１７は、図２の（ｂ）に示されるように、切り取り線１９と交差していることが好ましい。切れ目線１７が切り取り線１９と交差することによって、開封片１４から切り取り区画１６を切り取る際、切り取り易さが向上する。
【００３１】
本実施形態においては、切り取り区画１６の領域には接着部１５は存在しない。そのため、開封片１４を引き剥がさなくとも、切り取り区画１６のみを切り取ることが可能である。この点を考慮した場合、切れ目線１７と切り取り線１９が交差する箇所は、切り取り線１９のつなぎ部ではなく、実際に切れ込みが入っている切り取り線１９上であることが好ましい。切り取り線１９のつなぎ部ではなく切り取り線１９上、すなわち切れ込み部分で交差することにより、開封片１４を蓋部１１から切り離す前であっても切り取り区画１６を容易に切り取ることができる。
【００３２】
切れ目線１７の形状は、開封片１４から切り取り区画１６を容易に切り取ることができる形態のものであれば特に制限されるものではなく、例えば、ミシン目、断続した切れ込み等が挙げられる。
【００３３】
切れ目線１７の端部のうち、切り取り線１９と逆に位置する側は、開封片１４の長辺に達していてもよいし、達していなくてもよい。しかしながら、より容易に切り取り区画１６を切り取ることができるという点では、開封片１４の長辺まで達していることが好ましい。
【００３４】
（切り取り線）
上述の通り、蓋部１１の前面板１３と開封片１４との間には、開封片１４を蓋部１１から切り離すための切り取り線１９が形成されている。本実施形態における切り取り線１９は、開封片１４の開封開始側の端部１８（ｂ）から開封終了側の端部１８（ａ）にわたり断続的に形成された、複数の切れ込みである。
【００３５】
開封の際に、開封片１４を切り離し方向Ａへ引っ張ることにより、接着部１５における剥離とともに、切り取り線１９の間のつなぎ部分の破断が生じる。これにより、開封片１４による蓋部１１の容器本体１０への固定が外され、蓋部１１が開閉可能となる。
【００３６】
切り取り線１９の形状は特に限定されるものではないが、例えば、ミシン目、断続した切れ込み等が挙げられる。本実施形態では、一本の直線の切れ込みが断続的に設けられた形態である。また、切り取り線１９は、一本の直線の切れ込みのみからなる場合に限らず、これと直交する短い切れ込みを有する略Ｔ字形状の切り取り線、または、切れ込みの一部が折れているか、または曲がっている略Ｊ字形状の切り取り線であってもよい。
【００３７】
（接着部）
上述の通り、開封片１４の裏面には、帯状に接着剤が塗布されている。また、容器本体１０の前面板は、複数の接着部１５を除く領域に接着防止用の透明な剥離ニスが塗布されている。これにより、容器本体１０の前面板と開封片１４とは、容器本体１０の前面板に設けられた複数の接着部１５においてのみ接着されている構成となる。接着部１５は、開封片１４の切り離し方向に沿って列をなして複数設けられている。本実施形態では、複数の接着部１５が同一線上に設けられている。
【００３８】
接着部１５の数は、使用前に開封片１４が意図せず開封せず、使用時には容易に開封することができれば特に限定されるものではない。例えば、開封片１４の長辺の長さが２２０〜３２０ｍｍのとき５〜１０個であり得る。
【００３９】
接着部１５の大きさは、使用前に開封片１４が意図せず開封せず、使用時には容易に開封できる大きさであることが好ましい。具体的には、接着部１５の直径が、２ｍｍ以上であることが好ましく、３ｍｍ以上であることがより好ましい。また、上限としては１０ｍｍ以下であることが好ましく、８ｍｍ以下であることが開封しやすさ、および開封跡の美観を保つ点でより好ましい。なお、接着部１５の形状が円形以外である場合、最大径が上記の範囲であればよい。複数ある接着部１５は、すべて同一の大きさとしてもよいし、互いに異なる大きさとしてもよい。例えば、複数の接着部１５のうち、列の最も端に位置する接着部１５（ａ）および接着部１５（ｂ）を、その他の接着部１５よりも大きくしてもよい。例えば、接着部１５（ａ）および接着部１５（ｂ）の面積を、それ以外の接着部１５の面積よりも３０％以上大きい態様であり得、さらには５０％以上大きい態様であり得る。列の最も端にある接着部の大きさを、他の接着部よりも大きくすることにより、接着安定性をより十分に確保することができる。
【００４０】
また、開封片１４の切り離し方向の最も前方に位置する接着部１５（ｂ）は、最も後方に位置する接着部１５（ａ）よりも小さいことが好ましい。これにより、開封片１４の切り離しの開始部分の方が、反対側よりも接着が弱くなり、開封片１４を引き剥がし易くなる。
【００４１】
接着部１５の形状は、特に限定されないが、例えば、円形、涙形、長方形および楕円形等が挙げられる。
【００４２】
本実施形態において、接着部１５（ａ）と開封片１４の切り離し方向後方側の端部１８（ａ）との距離Ｌ１は、開封片１４の切り離し方向に沿った辺の長さの６％以下であり得、さらには５％以下であり得る。ここで、距離Ｌ１は開封片１４の切り離し終了側の端部１８（ａ）から、接着部１５（ａ）における当該端部１８（ａ）に最も近い境界部分までの距離である。距離Ｌ１が小さいほど、開封片１４と容器本体１０の前面板との間にうきが生じにくいため接着安定性を確保することができる。
【００４３】
本実施形態において、接着部１５（ｂ）と端部１８（ｂ）との距離Ｌ２は、距離Ｌ１と同じ距離であってもよいし、異なる距離であってもよい。使用時により容易に開封することができる点から、距離Ｌ２は距離Ｌ１よりも長いことが好ましい。距離Ｌ２の長さとしては、開封片１４の切り離し方向に沿った辺の長さの６％〜１２％であり得、さらには７％〜１０％であり得る。距離Ｌ２を当該範囲とすることで、開封時に指を掛ける部分をより十分に確保でき、容易にカートンを開封することができる。なお、距離Ｌ２は開封片１４の切り離し開始側の端部１８（ｂ）から、接着部１５（ｂ）における当該端部１８（ｂ）に最も近い境界部分までの距離である。
【００４４】
〔カートン〕
本実施形態におけるカートン１は、図１に示すように横長の略直方体状の箱型である。しかしながらカートン１の形状は、これに限定されるものではない。カートン１の材質は、例えば、ボール紙、板紙、等が挙げられるが、特に限定されるものではない。カートン１を形成する板材の厚さは、一般に加工容易性の観点から０．３５〜０．８０ｍｍであることが好ましい。また、板材表面には、エンボス加工、印刷加工およびポリエチレン等を用いたラミネート加工が施されていてもよい。
【００４５】
容器本体１０は、箱型であり、内部に物品（不図示）を収容することができる。収容される物品は、特に制限はないが、例えば、アルミニウム箔、コーティング層を備えるアルミニウム箔、ポリ塩化ビニリデンフィルムおよびポリエチレンフィルムなどのラップフィルムならびに加熱調理用の紙シートなどが挙げられる。したがって、カートン１を用いた製品としては、ラップフィルム巻回体がカートン１に収容されてなるラップフィルム製品が挙げられる。
【００４６】
蓋部１１は、図１に示すように、容器本体１０の後面から前面に延び、容器本体１０の開口部を覆っている。蓋部１１には、容器本体１０の前面板の一部を覆っている、蓋部１１の前面板１３が設けられている。蓋部１１は、開封片１４を切り離した後に、開閉可能となる。
【００４７】
カートン１には、収容する物品を切断する切断手段を設けていてもよい（不図示）。切断手段は、例えば鋸歯状の切断刃であり、蓋部１１の前面板１３の裏面に、蓋部１１の前面板１３の下端辺から刃先を突出させて配置される。切断手段の形状は特に限定されないが、例えば、Ｖ字形状、直線形状および略Ｕ字形状等が挙げられる。切断手段の材質は特に限定されないが、例えば、厚紙、プラスチックおよび金属等である。
【実施例】
【００４８】
（実施例１）
カートンは、厚紙（ＵＦコート、王子製紙社製）で形成し、幅３１５ｍｍ、奥行き４４ｍｍおよび高さ４４ｍｍの略直方体とした。本カートンにおける開封片は、開封片の切り離し方向に沿って設けられた８個の接着部によってカートン本体に接着されている。また、開封片の切り離し方向の後方から２番目の接着部と３番目の接着部との間に切り取り区画が配置されるよう、当該２つの接着部の間に２つの切れ目線を形成した。切れ目線は、蓋部の前面板と開封片とを切り離す切り取り線と交差させた。より具体的には、切り取り線上、すなわち切り取り線のつなぎ部ではない部分と交差させた。
【００４９】
（実施例２）
切れ目線と切り取り線とを交差させなかった以外は、実施例１と同様とした。
【００５０】
（比較例１）
開封片の切り離し方向の後端に位置する接着部よりも外側に、開封片の切り離し方向に垂直な切れ目線１本、およびこれに直交する方向の切れ目線１本を設け、これらにより、開封片の切り離し方向の後端に位置する接着部よりも外側に切り取り区画を形成した以外は、実施例１と同様とした。
【００５１】
（切り取り試験）
ラップを使用している２０〜６０代の主婦１００人に実施例１〜２および比較例１の切り取り区画を切り取ってもらい、５段階の絶対評価で評点をつけてもらった。結果を表１に示す。
【００５２】
【表１】
2019011117.tif 000003
【００５３】
（接着安定性評価試験）
開封片の切り離し方向の後端にセロハンテープを接着し、セロハンテープの端部をテンシロン（エー・アンド・デイ株式会社  ＲＴＧ−１２１０製）によりＨＳ５００ｍｍ／ｍｉｎで、容器本体の前面板に対して垂直方向で前面板から離れる方向に引っ張った。容器本体の前面板と、開封片の端切り離し方向の後端との間が５ｍｍとなった時点において引張強度が高いほど、接着安定性は高い。結果を表２に示す。
【００５４】
【表２】
2019011117.tif 000004
【産業上の利用可能性】
【００５５】
本発明は、物品を収容するカートンにおいて、使用開始前の開封片１４の封止性を十分に確保する際に有用である。
【符号の説明】
【００５６】
１  カートン
１０  容器本体
１１  蓋部
１３  蓋部の前面板
１４  開封片
１５、１５（ａ）、１５（ｂ）  接着部
１６  切り取り区画
１７  切れ目線
１８（ａ）、１８（ｂ）  端部
１９  切り取り線
Ｌ１、Ｌ２  距離
Ｌ３  幅
【図１】
2019011117.tif 000005
【図２】
2019011117.tif 000006